【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
パーツ（６２２）のモデルを処理する方法であって：
パーツ（６２２）上の複数の位置（６２４）についての情報に対するクライアント・アプリケーション（６０８）からの要求の受信に応答して、パーツ（６２２）のモデルにおける複数の位置（６２４）を識別（１５００）し、
パーツ（６２２）のモデルにおける複数の位置（６２４）のそれぞれにおいて切断面を作成（１５０２）して、複数の切断面（６３４）を形成し、
複数の切断面（６３４）のそれぞれの複数のレイヤ（６３６）についてのデータが取得（１５０４）し、
複数の切断面（６３４）を有するモデルを変更（１５０６）して、クライアント・アプリケーション（６０８）によって使用されるフォーマット（６４２）を有するフォーマット済みのモデル（６４０）を形成し、フォーマット済みのモデル（６４０）を表示し、
フォーマット済みのモデル（６４０）の複数の切断面（６３４）それぞれの複数のレイヤ（６３６）を、複数の切断面（６３４）それぞれにおける複数のレイヤ（６３６）についてのデータと関連づけ（１５０８）して、フォーマット済みのモデル（６４０）とデータ（６３８）との関連性（６４４）を形成し、
クライアント・アプリケーション（６０８）に応答して、フォーマット済みのモデル（６４０）及び複数のレイヤ（６３６）についてのデータを返す（１５１０）
ことを含む方法。
【請求項２】
クライアント・アプリケーション（６０８、８００）がウェブブラウザ（８２０）を含む、請求項１に記載の方法。
【請求項３】
クライアント・アプリケーション（６０８、８００）がフォーマット済みのモデル（６４０）を提示するウェブブラウザ（８２０）用のプラグイン（８２２）をさらに含み、プラグインがコンピュータを使った設計ファイル用のビューワ（８２４）を含む、請求項２に記載の方法。
【請求項４】
複数の切断面（８３０）に対する平面を識別（８１０）する
ことをさらに含む、請求項１に記載の方法。
【請求項５】
フォーマット済みのモデル（６４０）の複数の切断面（６３４）それぞれの複数のレイヤ（６３６）を、複数の切断面（６３４）それぞれにおける複数のレイヤ（６３６）についてのデータ（６３８）と関連づけ（１５０８）して、フォーマット済みのモデル（６４２）とデータ（６３８）との関連性（６４４、８２６）を形成するステップが：
複数の切断面（６３４、８３０）それぞれの複数のレイヤ（６３６、８２８）のデータ（６３８、８１８）を、フォーマット済みのモデル（６４０）の複数の切断面（６３４、８３０）それぞれのレイヤと相互に関連付けするメタデータ（８３４）を作成するステップであって、メタデータ（８３４）が応答（６４６、８１８）に含まれるステップ
を含む、請求項１に記載の方法。
【請求項６】
複数のレイヤ（６３６、８２８）についてのデータ（６３８、８１８）とメタデータ（８３４）が、ウェブページ内の複数のレイヤ（６３６、８２８）についてのデータ（６３８、８１８）の選択に応答して、フォーマット済みのモデル（６４０）のレイヤを示すためにビューワ（８２４）を呼び出すプログラムコードを有するウェブページ内に返される、請求項５に記載の方法。
【請求項７】
パーツ（６２２）が航空機の複合パーツであり、複数のレイヤ（６３６、８２８）が複合パーツ内の複数のプライ（３０２）である、請求項１に記載の方法。
【請求項８】
バス（５０２）と、
バス（５０２）に接続されたメモリ（５０６）であって、プログラムコード（５１８）が記憶されたメモリ（５０６）と、
パーツ（６２２）上の複数の位置（６２４）についての情報に対するクライアント・アプリケーション（６０８）からの要求の受信に応答して、パーツ（６２２）のモデルにおける複数の位置（６２４）を識別（１５００）し；
パーツ（６２２）のモデルにおける複数の位置（６２４）のそれぞれにおいて切断面を作成（１５０２）して、複数の切断面（６３４）を形成し；
複数の切断面（６３４）のそれぞれの複数のレイヤ（６３６）についてのデータを取得（１５０４）し；
複数の切断面（６３４）を有するモデルを変更（１５０６）して、クライアント・アプリケーション（６０８）によって使用されるフォーマットを有するフォーマット済みのモデル（６４０）を形成して、フォーマット済みのモデル（６４０）を表示し；
フォーマット済みのモデル（６４０）の複数の切断面（６３４）それぞれの複数のレイヤ（６３６）を、複数の切断面（６３４）それぞれにおける複数のレイヤ（６３６）についてのデータ（６３８）と関連づけ（１５０８）して、フォーマット済みのモデル（６４０）とデータ（６３８）との関連性（６４４）を形成し；
クライアント・アプリケーション（６０８）に応答して、フォーマット済みのモデル（６４０）及び複数のレイヤ（６３６）についてのデータ（６３８）を返すためにプログラムコード（５１８）を実行するプロセッサ装置（５０４）
を含む装置。
【請求項９】
クライアント・アプリケーション（６０８、８００）がウェブブラウザ（８２０）を含む、請求項８に記載の装置。
【請求項１０】
クライアント・アプリケーション（６０８、８００）がフォーマット済みのモデル（６４０）を提示するウェブブラウザ（８２０）用のプラグイン（８２２）をさらに含み、プラグインがコンピュータを使った設計ファイル用のビューワ（８２４）を含む、請求項９に記載の装置。
【請求項１１】
フォーマット済みのモデル（６４０）の複数の切断面（６３４，８３０）それぞれの複数のレイヤ（６３６、８２８）を、複数の切断面（６３４，８３０）それぞれにおける複数のレイヤ（６３６、８２８）についてのデータ（６３８）と関連づけ（１５０８）して、フォーマット済みのモデル（６４０）とデータ（６３８）との関連性（６４４）を形成するステップにおいて、プロセッサ装置（５０４）が、プログラムコード（５１８）を実行して、複数の切断面（６３４、８３０）のそれぞれの複数のレイヤ（６３６、８２８）についてのデータ（６３８）を、メタデータ（８３４）が応答（６４６、８１４）に含まれるフォーマット済みのモデル（６４０）の複数の切断面（６３４、８３０）それぞれのレイヤと相互に関連付けするメタデータ（８３４）を作成する、請求項８に記載の装置。
【請求項１２】
パーツ（６２２）が航空機の複合パーツであり、複数のレイヤ（６３６、８２８）が複合パーツ内の複数のプライ（３０２）である、請求項８に記載の装置。
【手続補正２】
【補正対象書類名】明細書
【補正対象項目名】０１５８
【補正方法】変更
【補正の内容】
【０１５８】
さらに、他の有利な実施形態と比較して、異なる有利な実施形態により異なる利点を得ることが可能である。選択された一又は複数の実施形態は、実施形態及び実際の応用形態の原理を最適に説明するため、また、当業者が、考えられる特定の使用に好適である様々な修正を施した様々な実施形態の開示を理解できるように選択され記載されたものである。
また、本発明は以下に記載する態様を含む。
（態様１）
パーツ（６２２）のモデルを処理する方法であって：
パーツ（６２２）上の複数の位置（６２４）についての情報に対するクライアント・アプリケーション（６０８）からの要求の受信に応答して、パーツ（６２２）のモデルにおける複数の位置（６２４）を識別（１５００）し、
パーツ（６２２）のモデルにおける複数の位置（６２４）のそれぞれにおいて切断面を作成（１５０２）して、複数の切断面（６３４）を形成し、
複数の切断面（６３４）のそれぞれの複数のレイヤ（６３６）についてのデータが取得（１５０４）し、
複数の切断面（６３４）を有するモデルを変更（１５０６）して、クライアント・アプリケーション（６０８）によって使用されるフォーマット（６４２）を有するフォーマット済みのモデル（６４０）を形成し、フォーマット済みのモデル（６４０）を表示し、
フォーマット済みのモデル（６４０）の複数の切断面（６３４）それぞれの複数のレイヤ（６３６）を、複数の切断面（６３４）それぞれにおける複数のレイヤ（６３６）についてのデータと関連づけ（１５０８）して、フォーマット済みのモデル（６４０）とデータ（６３８）との関連性（６４４）を形成し、
クライアント・アプリケーション（６０８）に応答して、フォーマット済みのモデル（６４０）及び複数のレイヤ（６３６）についてのデータを返す（１５１０）
ことを含む方法。
（態様２）
複数の切断面（８３０）に対する平面を識別（８１０）する
ことをさらに含む、態様１に記載の方法。
（態様３）
データ（６３８）が延長マークアップ言語フォーマットにフォーマット変更されている、態様１に記載の方法。
（態様４）
クライアント・アプリケーション（６０８、８００）がウェブブラウザ（８２０）を含む、態様１に記載の方法。
（態様５）
クライアント・アプリケーション（６０８、８００）がフォーマット済みのモデル（６４０）を提示するウェブブラウザ（８２０）用のプラグイン（８２２）をさらに含む、態様４に記載の方法。
（態様６）
クライアント・アプリケーション（６０８、８００）がコンピュータを使った設計ファイル用のビューワ（８２４）を含む、態様１に記載の方法。
（態様７）
フォーマット済みのモデル（６４０）の複数の切断面（６３４）それぞれの複数のレイヤ（６３６）を、複数の切断面（６３４）それぞれにおける複数のレイヤ（６３６）についてのデータ（６３８）と関連づけ（１５０８）して、フォーマット済みのモデル（６４２）とデータ（６３８）との関連性（６４４、８２６）を形成するステップが：
複数の切断面（６３４、８３０）それぞれの複数のレイヤ（６３６、８２８）のデータ（６３８、８１８）を、フォーマット済みのモデル（６４０）の複数の切断面（６３４、８３０）それぞれのレイヤと相互に関連付けするメタデータ（８３４）を作成するステップであって、メタデータ（８３４）が応答（６４６、８１８）に含まれるステップ
を含む、態様１に記載の方法。
（態様８）
複数のレイヤ（６３６、８２８）についてのデータ（６３８、８１８）とメタデータ（８３４）が、ウェブページ内の複数のレイヤ（６３６、８２８）についてのデータ（６３８、８１８）の選択に応答して、フォーマット済みのモデル（６４０）のレイヤを示すためにビューワ（８２４）を呼び出すプログラムコードを有するウェブページ内に返される、態様７に記載の方法。
（態様９）
パーツ（６２２）が複合パーツであり、複数のレイヤ（６３６、８２８）が複合パーツ内の複数のプライ（３０２）である、態様１に記載の方法。
（態様１０）
複合パーツが航空機（２００）用である、態様９に記載の方法。
（態様１１）
バス（５０２）と、
バス（５０２）に接続されたメモリ（５０６）であって、プログラムコード（５１８）が記憶されたメモリ（５０６）と、
パーツ（６２２）上の複数の位置（６２４）についての情報に対するクライアント・アプリケーション（６０８）からの要求の受信に応答して、パーツ（６２２）のモデルにおける複数の位置（６２４）を識別（１５００）し；パーツ（６２２）のモデルにおける複数の位置（６２４）のそれぞれにおいて切断面を作成（１５０２）して、複数の切断面（６３４）を形成し；複数の切断面（６３４）のそれぞれの複数のレイヤ（６３６）についてのデータを取得（１５０４）し；複数の切断面（６３４）を有するモデルを変更（１５０６）して、クライアント・アプリケーション（６０８）によって使用されるフォーマットを有するフォーマット済みのモデル（６４０）を形成して、フォーマット済みのモデル（６４０）を表示し；フォーマット済みのモデル（６４０）の複数の切断面（６３４）それぞれの複数のレイヤ（６３６）を、複数の切断面（６３４）それぞれにおける複数のレイヤ（６３６）についてのデータ（６３８）と関連づけ（１５０８）して、フォーマット済みのモデル（６４０）とデータ（６３８）との関連性（６４４）を形成し；クライアント・アプリケーション（６０８）に応答して、フォーマット済みのモデル（６４０）及び複数のレイヤ（６３６）についてのデータ（６３８）を返すためにプログラムコード（５１８）を実行するプロセッサ装置（５０４）
を含む装置。
（態様１２）
クライアント・アプリケーション（６０８、８００）がウェブブラウザ（８２０）を含む、態様１１に記載の装置。
（態様１３）
クライアント・アプリケーション（６０８、８００）がフォーマット済みのモデル（６４０）を提示するウェブブラウザ（８２０）用のプラグイン（８２２）をさらに含む、態様１２に記載の装置。
（態様１４）
クライアント・アプリケーション（６０８、８００）がコンピュータを使った設計ファイル用のビューワ（８２４）を含む、態様１１に記載の装置。
（態様１５）
フォーマット済みのモデル（６４０）の複数の切断面（６３４，８３０）それぞれの複数のレイヤ（６３６、８２８）を、複数の切断面（６３４，８３０）それぞれにおける複数のレイヤ（６３６、８２８）についてのデータ（６３８）と関連づけ（１５０８）して、フォーマット済みのモデル（６４０）とデータ（６３８）との関連性（６４４）を形成するステップにおいて、プロセッサ装置（５０４）が、プログラムコード（５１８）を実行して、複数の切断面（６３４、８３０）のそれぞれの複数のレイヤ（６３６、８２８）についてのデータ（６３８）を、メタデータ（８３４）が応答（６４６、８１４）に含まれるフォーマット済みのモデル（６４０）の複数の切断面（６３４、８３０）それぞれのレイヤと相互に関連付けするメタデータ（８３４）を作成する、態様１１に記載の装置。
（態様１６）
パーツ（６２２）が複合パーツであり、複数のレイヤ（６３６、８２８）が複合パーツ内の複数のプライ（３０２）である、態様１１に記載の装置。
（態様１７）
複合パーツが航空機（２００）用である、態様１６に記載の装置。
（態様１８）
パーツ（６２２）のモデルを処理するコンピュータプログラム製品（５２２）であって：
コンピュータによって記録可能な記憶媒体（５２４）、
コンピュータによって記録可能な記憶媒体（５２４）に記憶されたプログラムコード（５１８）であって、パーツ（６２２）上の複数の位置についての情報に対するクライアント・アプリケーション（６０８）からの要求の受信に応答して、パーツ（６２２）のモデルにおける複数の位置（６２４）を識別（１５００）するプログラムコード（５１８）、
コンピュータによって記録可能な記憶媒体（５２４）に記憶されたプログラムコード（５１８）であって、パーツ（６２２）のモデル内の複数の位置（５２４）それぞれにおいて切断面を作成して複数の切断面（６３４）を形成するプログラムコード（５１８）、
コンピュータによって記録可能な記憶媒体（５２４）に記憶されたプログラムコード（５１８）であって、複数の切断面（６３４）それぞれにおける複数のレイヤ（６３６）についてのデータを取得する（１５０４）プログラムコード（５１８）、
コンピュータによって記録可能な記憶媒体（５２４）に記憶されたプログラムコード（５１８）であって、複数の切断面（６３４）を有するモデルを変更（１５０６）して、クライアント・アプリケーション（６０８）によって使用されるフォーマットを有するフォーマット済みのモデル（６４０）を形成してフォーマット済みのモデル（６４０）を表示するプログラムコード（５１８）、
コンピュータによって記録可能な記憶媒体（５２４）に記憶されたプログラムコード（５１８）であって、フォーマット済みのモデル（６４０）内の複数の切断面（６３４）のそれぞれにおける複数のレイヤ（６３６）を、複数の切断面（６３４）それぞれにおける複数のレイヤ（６３６）についてのデータ（６３８）と関連付け（１５０８）して、フォーマット済みのモデル（６４０）とデータ（６３８）との関連性（６４４）を形成するプログラムコード（５１８）、
コンピュータによって記録可能な記憶媒体（５２４）に記憶されたプログラムコード（５１８）であって、クライアント・アプリケーション（６０８）へ応答して、フォーマット済みのモデル（６４０）と複数のレイヤ（６３６）についてのデータ（６３８）を返す（１５１０）プログラムコード（５１８）
を含むコンピュータプログラム製品（５２２）。
（態様１９）
コンピュータによって記録可能な記憶媒体（５２４）に記憶されたプログラムコード（５１８）であって、複数の切断面（６３４、８３０）の平面（８１０）を識別するためのプログラムコード（５１８）
をさらに含む、態様１８に記載のコンピュータプログラム製品。
（態様２０）
コンピュータによって記録可能な記憶媒体（５２４）に記憶されたプログラムコード（５１８）であって、フォーマット済みのモデル（６４０）内の複数の切断面（６３４、８３０）のそれぞれにおける複数のレイヤ（６３６、８２８）を、複数の切断面（６３４、８３０）それぞれにおける複数のレイヤ（６３６,８２８）についてのデータ（６３８）と関連付け（１５０８）して、フォーマット済みのモデル（６４０）とデータ（６３８）との関連性（６４４）を形成するプログラムコード（５１８）が、
コンピュータによって記録可能な記憶媒体（５２４）に記憶されたプログラムコード（５１８）であって、複数の切断面（６３４、８３０）のそれぞれの複数のレイヤ（６３６、８２８）についてのデータ（６３８）を、メタデータ（８３４）が応答（６４６、８１４）に含まれるフォーマット済みのモデル（６４０）の複数の切断面（６３４、８３０）それぞれのレイヤと相互に関連付けするメタデータ（８３４）を作成するプログラムコード（５１８）
を含む、態様１８に記載のコンピュータプログラム製品。